(57)【要約】【課題】  一人でも自己ＰＲすることが可能な自己ＰＲシステムを提供する。【解決手段】  自己ＰＲシステム１００は，自己ＰＲ事項を話者に提示する自己ＰＲ事項提示手段２２２と；上記自己ＰＲ事項提示手段により上記自己ＰＲ事項が提示されるのと連動して，話者を撮影することにより生成される映像データを基に該自己ＰＲ事項に対応する自己ＰＲカット映像データを生成する自己ＰＲカット映像生成手段２２３と；自己ＰＲカット映像データが生成される度に，該自己ＰＲカット映像データの確認を話者から受け付ける自己ＰＲカット映像確認受付手段２２５とを備え，自己ＰＲ事項提示手段は，上記自己ＰＲカット映像確認受付手段により受け付けられた上記自己ＰＲカット映像データに対応する自己ＰＲ事項を再び提示する。【選択図】    図１
2007086877.tif 000002
【特許請求の範囲】
【請求項１】
自己ＰＲ事項を話者に提示する自己ＰＲ事項提示手段と；
前記自己ＰＲ事項提示手段により前記自己ＰＲ事項が提示されるのと連動して，前記話者を撮影することにより生成される映像データを基に該自己ＰＲ事項に対応する自己ＰＲカット映像データを生成する自己ＰＲカット映像生成手段と；
前記自己ＰＲカット映像データが生成される度に，該自己ＰＲカット映像データの確認を前記話者から受け付ける自己ＰＲカット映像確認受付手段と；
を備え，
前記自己ＰＲ事項提示手段は，前記自己ＰＲカット映像確認受付手段により受け付けられた前記自己ＰＲカット映像データに対応する自己ＰＲ事項を再び提示することを特徴とする，自己ＰＲシステム。
【請求項２】
前記自己ＰＲカット映像生成手段は，前記自己ＰＲ事項提示手段により自己ＰＲ事項を提示した時点を前記自己ＰＲカット映像データの開始とすることを特徴とする，請求項１に記載の自己ＰＲシステム。
【請求項３】
前記自己ＰＲシステムは，前記話者ごとに撮影した自己ＰＲカット映像データ全てを順に並べ一つの自己ＰＲ映像データに加工する自己ＰＲ加工手段をさらに備えることを特徴とする，請求項１又は２に記載の自己ＰＲシステム。
【請求項４】
前記自己ＰＲシステムは，前記自己ＰＲ映像データの確認を前記話者から受け付ける自己ＰＲ映像確認受付手段を，さらに備え，
前記自己ＰＲ事項提示手段は，前記自己ＰＲ映像確認受付手段による前記確認が受け付けられた場合，前記自己ＰＲ映像データに構成された全ての自己ＰＲカット映像データについて，再度同じ自己ＰＲ事項全てを提示することを特徴とする，請求項３に記載の自己ＰＲシステム。
【請求項５】
前記自己ＰＲシステムは，前記話者の属性情報と前記自己ＰＲ映像データとを対応付けて属性情報データベースに格納する格納手段を，さらに備えることを特徴とする，請求項３又は４に記載の自己ＰＲシステム。
【請求項６】
前記自己ＰＲシステムは，前記属性情報データベースに格納された前記属性情報を基にして前記自己ＰＲ映像データを取得する取得手段と；
前記取得した自己ＰＲ映像データを再生し，該自己ＰＲ映像データについて添削者による添削を受け付ける添削受付手段とを，さらに備えることを特徴とする，請求項１，２，３，４，または５項のいずれかに記載の自己ＰＲシステム。
【請求項７】
前記格納手段は，前記自己ＰＲ映像データを記憶媒体に記録することを特徴とする，請求項５項に記載の自己ＰＲシステム。
【発明の詳細な説明】
【技術分野】
【０００１】
本発明は利用者個人で自己ＰＲの練習又は本番を行う自己ＰＲシステムに関する。
【背景技術】
【０００２】
企業が人材を募集する場合など数多くの場面で，自己ＰＲをする機会が存在する。応募者は採用者等の相手に納得させて印象付けるような自己ＰＲをすることで，他人よりも採用の可能性などを高めることができる。
【０００３】
したがって，応募者は他人よりも優れた自己ＰＲをするために，他人よりも数多くの自己ＰＲする必要があり，ビデオカメラを用いて自分の自己ＰＲを撮影し，自己ＰＲを練習することが多く行われている。
【発明の開示】
【発明が解決しようとする課題】
【０００４】
しかしながら，応募者がビデオカメラを用いて自己ＰＲしようとしても，必ずしも質問する側の採用者が存在するとは限らない。したがって，応募者が一人で自己ＰＲをする場合，一人二役演じる必要があるため，応募者は，自己ＰＲをスムーズに行うことができなかった。
【０００５】
また，従来では，質問者が自己ＰＲ事項を提示して，一人で自己ＰＲを練習したり，自己ＰＲしたりすることが可能な自己ＰＲシステムが存在しなかった。さらに，その自己ＰＲした結果を添削するシステムも存在しなかった。
【０００６】
本発明は，上記問題点に鑑みてなされたものであり，本発明の目的は，一人でも自己ＰＲすることが可能な，新規かつ改良された自己ＰＲシステムを提供することである。
【課題を解決するための手段】
【０００７】
上記課題を解決するため，本発明の第１の観点によれば，自己ＰＲ事項を話者に提示する自己ＰＲ事項提示手段と；上記自己ＰＲ事項提示手段により上記自己ＰＲ事項が提示されるのと連動して，上記話者を撮影することにより生成される映像データを基に該自己ＰＲ事項に対応する自己ＰＲカット映像データを生成する自己ＰＲカット映像生成手段と；上記自己ＰＲカット映像データが生成される度に，該自己ＰＲカット映像データの確認を上記話者から受け付ける自己ＰＲカット映像確認受付手段と；を備え，上記自己ＰＲ事項提示手段は，上記自己ＰＲカット映像確認受付手段により受け付けられた上記自己ＰＲカット映像データに対応する自己ＰＲ事項を再び提示することを特徴とした自己ＰＲシステムが提供される。
【０００８】
本発明によれば，話者に対して自己ＰＲしてもらう自己ＰＲ事項を提示すると，それに連動して話者の撮影を開始し，自動的に自己ＰＲ事項に対応した自己ＰＲカット映像データを生成する。生成された自己ＰＲカット映像データは話者からの要望に応じて画面上等に出力される。かかる構成によれば，話者個人でも自己ＰＲの練習又は本番を容易に実行することができ，さらに各自己ＰＲ事項に対応した自己ＰＲカット映像を話者はその場で即座に何回でも確認することができる上，確認結果に応じて自己ＰＲシステムでは再度自己ＰＲ事項を話者に提示し自己ＰＲカット映像データを繰り返して生成することができる。
【０００９】
上記自己ＰＲカット映像生成手段は，上記自己ＰＲ事項提示手段により自己ＰＲ事項を提示した時点を上記自己ＰＲカット映像データの開始とするように構成してもよい。かかる構成により，自己ＰＲ事項の内容が音声，画像ともに省略されるため，自己ＰＲカット映像データの容量を抑えることができるとともに，確認時間の短縮化も図れる。
【００１０】
上記自己ＰＲシステムは，上記話者ごとに撮影した自己ＰＲカット映像データ全てを順に並べ一つの自己ＰＲ映像データに加工する自己ＰＲ加工手段をさらに備えるようにしてもよい。かかる構成により，自己ＰＲ映像カットデータを迅速に検索し画面上等に出力することができる。なお，上記一つにまとめられた自己ＰＲ映像データは，例えば，複数の自己ＰＲカット映像データが相互に対応付けられて構成されるが，かかる例に限定されず，例えば自己ＰＲ映像データには，１ファイル内にシームレスに相互に結合した複数の自己ＰＲ映像データが含まれる場合等でもよい。
【００１１】
上記自己ＰＲシステムは，上記自己ＰＲ映像データの確認を上記話者から受け付ける自己ＰＲ映像確認受付手段を，さらに備え，上記自己ＰＲ事項提示手段は，上記自己ＰＲ映像確認受付手段による上記確認が受け付けられた場合，上記自己ＰＲ映像データに構成された全ての自己ＰＲカット映像データについて，再度同じ自己ＰＲ事項全てを提示するように構成してもよい。
【００１２】
上記自己ＰＲシステムは，上記話者の属性情報と上記自己ＰＲ映像データとを対応付けて属性情報データベースに格納する格納手段を，さらに備えるようにしてもよい。かかる構成により，利用者が自分の自己ＰＲ映像データを効率よく検索できる。
【００１３】
上記自己ＰＲシステムは，上記属性情報データベースに格納された上記属性情報を基にして上記自己ＰＲ映像データを取得する取得手段と；上記取得した自己ＰＲ映像データを再生し，該自己ＰＲ映像データについて添削者による添削を受け付ける添削受付手段とを，さらに備えるように構成してもよい。かかる構成によれば，添削者は既に記録された自己ＰＲ映像データを画面上等に出力し，その自己ＰＲ映像についてコメント等を付す。利用者は，そのコメントを参照することで，自分の自己ＰＲの長所又は短所等を把握し，自己ＰＲを改善することができる。
【００１４】
上記格納手段は，上記自己ＰＲ映像データを記憶媒体に記録するように構成してもよい。
【００１５】
なお，本発明に係る自己ＰＲは，例えば，自己アピール，自己プレゼンテーション，自己紹介と同様であって，話者が自分自身をアピールすることであるが，かかる例に限定されない。
【００１６】
上記課題を解決するために，本発明の別の観点によれば，話者を撮影することにより画像及び／又は音声からなる映像データを生成する映像生成手段と；映像データを出力する映像出力手段と；自己ＰＲ事項に対する上記話者からの自己ＰＲを受け付ける自己ＰＲ受付手段と；１又は２以上の自己ＰＲ事項を上記話者に対話形式で提示する自己ＰＲ事項提示手段と；上記自己ＰＲ事項提示手段による自己ＰＲ事項の提示と連動して，上記映像生成手段により送出される映像データを基にして上記各自己ＰＲ事項に対応する自己ＰＲカット映像データを各々生成する自己ＰＲカット映像生成手段と；上記各自己ＰＲカット映像データが生成される度に，該自己ＰＲカット映像データの確認を上記話者から受け付ける自己ＰＲカット映像確認受付手段と；を備え，上記自己ＰＲ受付手段は，上記自己ＰＲカット映像確認受付手段により受け付けられた上記自己ＰＲカット映像データについて，再度同じ自己ＰＲ事項に対する上記話者からの自己ＰＲを受け付けることを特徴とする，自己ＰＲシステム。
【発明の効果】
【００１７】
以上説明したように，本発明によれば，自動的に自己ＰＲ事項が提示され，その自己ＰＲ事項に対する自己ＰＲをすることができるので，一人でも自己ＰＲすることができる。また，その自己ＰＲに対して他人が添削することができる。
【発明を実施するための最良の形態】
【００１８】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００１９】
（自己ＰＲシステムについて）
まず，図１に基づいて，本実施の形態にかかる自己ＰＲシステム１００の全体構成について説明する。なお，図１は，本実施の形態にかかる自己ＰＲシステムの全体構成を概略的に示すブロック図である。
【００２０】
図１に示すように，本実施の形態にかかる自己ＰＲシステム１００は，例えば，映像処理装置１０と，ビデオカメラ１２０と，マイク１２２と，映像圧縮装置１２３とを一組として備えている。
【００２１】
なお，図１に示す自己ＰＲシステム１００には，一組の映像処理装置１０と，ビデオカメラ１２０と，映像圧縮装置１２３と，マイク１２２とが備わる場合を例に挙げて説明するが，かかる例に限定されず，例えば，自己ＰＲシステム１００には，複数組の映像処理装置１０１ａ，１０１ｂ，…，１０１ｎ（以下，「映像処理装置１０１」と総称する場合もある。）と，ビデオカメラ１２０ａ，１２０ｂ，…１２０ｎ（以下，「ビデオカメラ１２０」と総称する場合もある。）と，映像圧縮装置１２３ａ，１２３ｂ，…１２３ｎ（以下，「映像圧縮装置１２３」と総称する場合もある。）と，マイク１２２ａ，１２２ｂ，…１２２ｎ（以下，「マイク１２２」と総称する場合もある。）とを備える場合等でもよい。
【００２２】
映像処理装置１０１は，データを記憶することが可能な記憶手段と，ディスプレイ装置１１０と，スピーカ１０９とを少なくとも備えている。
【００２３】
映像処理装置１０１は，詳細は後述するが，例えば，利用者（求職者など）が操作することが可能な装置であり，ビデオカメラ１２０又はマイク１２２を通じて利用者が自己ＰＲした内容を映像として録画することが可能な装置である。
【００２４】
なお，本実施の形態にかかる自己ＰＲシステム１００における自己ＰＲは，例えば，自己アピール，自己プレゼンテーション，自己紹介と同様であって，話者が自分自身をアピールすることであるが，かかる例に限定されない。
【００２５】
また，映像処理装置１０１は，ストレージ装置にデータベースを記憶し，利用者が登録した属性情報と上記録画した映像とをひも付けて，上記データベースに記憶している。なお，詳細は後述する。
【００２６】
映像処理装置１０１は，例えば，パーソナルコンピュータ等のコンピュータ装置（ノート型，デスクトップ型を問わない。），家庭用ゲーム機，ＶＴＲ，ＣＤ若しくはＤＶＤレコーダなどで構成できる。
【００２７】
また，映像処理装置１０１は，上記機能に限定されず，例えば，内蔵されたハードディスクドライブなどに相当するストレージ装置に格納された自己ＰＲ等の画像及び／又は音声等をディスプレイ装置１１０又はスピーカ１０９を介して再生できる。
【００２８】
なお，映像処理装置１０１は，スタンドアローンである場合を例に挙げて説明するが，かかる例に限定されず，例えば，映像処理装置１０１は，通信機能を備え，ネットワークに接続したサーバ（図示せず。）とやりとりし，上記サーバに自己ＰＲした映像データを転送し保存しても良い。
【００２９】
映像圧縮装置１２３は，カメラ１２０の撮影により生成された画像データ及び／又はマイク１２２の受音により生成された音声データ（以下，画像データ及び／又は音声データを，映像データとする）を，例えば，ＭＰＥＧ４（Moving Picture Experts Group phase 4）に変換する。
【００３０】
（映像処理装置）
次に，本実施形態にかかる映像処理装置１０の構成について詳細に説明する。
【００３１】
まず，図２に基づいて，本実施形態にかかる映像処理装置１０のハードウェア構成について説明する。図２は，本実施形態にかかる映像処理装置のハードウェア構成の例を概略的に示すブロック図である。
【００３２】
図２に示すように，映像処理装置１０は，例えば，ＣＰＵ（Ｃｅｎｔｒａｌ  Ｐｒｏｃｅｓｓｉｎｇ  Ｕｎｉｔ）等に相当する制御部１０１と，ＲＯＭ（Ｒｅａｄ  Ｏｎｌｙ  Ｍｅｍｏｒｙ）１０２と，ＲＡＭ（Ｒａｎｄｏｍ  Ａｃｃｅｓｓ  Ｍｅｍｏｒｙ）１０３と，入力部１０８と，スピーカ１０９と，ディスプレイ装置１１０と，ストレージ装置（ＨＤＤ）１１１と，ドライブ１１２と，接続ポート１１４と，通信部１１５とを備える。
【００３３】
なお，図２に示すように，映像処理装置１０は，ディスプレイ装置１１０とスピーカ１０９とを一体的に備える場合を例に挙げて説明するが，かかる例に限定されず，例えば，映像処理装置１０は，ディスプレイ装置１１０とスピーカ１０９とをケーブルで接続し別体として備える場合でも実施可能である。
【００３４】
制御部１０１は，演算処理装置および制御装置として機能し，各種プログラムに従って動作し，映像処理装置１０内の各部を制御する。ＲＯＭ１０２は，制御部１０１が使用するプログラムや演算パラメータ等を記憶する。ＲＡＭ１０３は，制御部１０１の実行において使用するプログラムや，その実行において適宜変化するパラメータ等を一次記憶する。これらは制御部用バス（図示せず。）などにより相互に接続されている。
【００３５】
入力部１０８は，例えば，マウス，キーボード，タッチパネル，ボタン，スイッチ，またはレバー等のうち少なくとも一つを有する操作手段と，入力信号を生成して制御部１０１に出力する入力制御回路などから構成されている。映像処理装置１０のユーザは，この入力部１０８を操作することにより，映像処理装置１０に対して各種のデータを入力したり処理動作を指示したりすることができる。なお，本実施の形態にかかる入力部１０８は，例えば，タッチパネルとしてディスプレイ装置１１０内に備わっているが，かかる例に限定されない。
【００３６】
ディスプレイ装置１１０は，例えば，ＣＲＴ（Ｃａｔｈｏｄｅ  Ｒａｙ  Ｔｕｂｅ）ディスプレイ装置，液晶ディスプレイ（ＬＣＤ）装置，ランプ等の表示装置から構成される。スピーカ１０９は，音声を出力する音声出力装置で構成される。
【００３７】
上記ディスプレイ装置１１０は，例えば，再生されたコンテンツを出力する。具体的には，ディスプレイ装置１１０は，再生された画像データ等の各種情報をテキストまたはイメージで表示する。一方，音声出力装置であるスピーカ１０９は，再生された音声データ等を出力する。
【００３８】
ストレージ装置１１１は，本実施形態にかかる映像処理装置１０の記憶部の一例として構成されたデータ格納用の装置であり，例えば，ＨＤＤ（Ｈａｒｄ  Ｄｉｓｋ  Ｄｒｉｖｅ）で構成される。
【００３９】
上記ストレージ装置１１１は，ハードディスクを駆動し，制御部１０１が実行するプログラムや各種データを格納する。また，このストレージ装置１１１には，後述の属性情報データベース（以下，属性情報ＤＢ），自己ＰＲ映像データベース（自己ＰＲ映像ＤＢ）などが格納されている。
【００４０】
ドライブ１１２は，記憶媒体用リーダライタであり，映像処理装置１０に内蔵，或いは外付けされる。このドライブ１１２は，映像処理装置１０にローディングされた磁気ディスク，光ディスク，光磁気ディスク，または半導体メモリ等のリムーバブル記憶媒体４０に対して，自己ＰＲ映像データ等の映像データを記録したり，既記録された自己ＰＲ映像データ等の映像データを再生したりする。
【００４１】
具体的には，ドライブ１１２は，リムーバブル記憶媒体４０に記録されているデータを読み出して，インタフェース（図示せず。），バス（図示せず。）を介して接続されているＲＡＭ１０３に供給する。制御部１０１は，必要に応じて，これらのデータをＲＯＭ１０２またはストレージ装置１１１などに格納する。一方，ドライブ１１２は，ＲＯＭ１０２またはストレージ装置１１１などに格納されているデータや，新たに生成したデータ，外部装置から取得したデータを制御部１０１から受け取り，リムーバブル記憶媒体４０に書き込む。
【００４２】
接続ポート１１４は，例えばビデオカメラ１２０，マイク１２２等の外部装置等を接続するポートであり，ＵＳＢ，ＩＥＥＥ１３９４，ビデオ端子等の接続端子を有する。接続ポート１１４は，インタフェース，バス（図示せず。）等を介して制御部１０１等に接続されている。かかる接続ポート１１４によって，映像処理装置１０は，ビデオカメラ１２０又はマイク１２２からの画像データ，音声データを入力可能となる。
【００４３】
通信部１１５は，例えば，ネットワークに接続するための通信デバイス等で構成された通信インタフェースである。この通信部１１５は，他の映像処理装置１０やサーバ（図示せず。）等の外部機器との間で，ネットワークを介して，映像データ，制御信号などの各種データを送受信する。
【００４４】
次に，図３に基づいて，本実施形態にかかる映像処理装置１０の主な機能について説明する。なお，図３は，本実施形態にかかる映像処理装置の機能（又は，モジュール）を概略的に示すブロック図である。
【００４５】
図３に示すように，映像処理装置１０は，例えば，データ通信部２２０と，自己ＰＲ受付部２２１と，自己ＰＲ事項提示部２２２と，自己ＰＲカット映像生成部２２３と，自己ＰＲカット映像確認受付部２２５と，自己ＰＲ加工部２２７と，格納部２３１と，添削受付部２３３と，添削用映像処理部２３５と，取得部２３７と，属性情報データベース（属性情報ＤＢ）２５０と，自己ＰＲ映像データベース（自己ＰＲ映像ＤＢ）２５３とを備える。
【００４６】
上記データ通信部２２０は，映像処理装置１０内，又は，映像処理装置１０に接続する外部装置との間で各種のデータを転送，送受信する。例えば，データ通信部１２０は，上記通信部１１５を利用して，ネットワークを介して，映像処理装置１０と他の映像処理装置１０またはサーバとの間でデータを送受信するモジュールプログラムである。
【００４７】
自己ＰＲ受付部２２１は，ディスプレイ装置１１０に利用者が自己ＰＲするための受付画面を表示し，利用者から自己ＰＲを開始するのを受け付ける。
【００４８】
自己ＰＲ提示部２２２は，上記自己ＰＲ受付部２２１による自己ＰＲの開始を受け付けるのと連動して，自己ＰＲする項目（自己ＰＲ事項）をディスプレイ装置１１０に表示する。
【００４９】
なお，自己ＰＲ事項提示部２２２は，全ての自己ＰＲ項目を利用者に対して提示するまで，順に自己ＰＲ項目を提示し，利用者の自己ＰＲの映像を作成するよう自己ＰＲカット映像生成部２２３に指示する。なお，詳細は，後述する。
【００５０】
自己ＰＲカット映像生成部２２３は，上記自己ＰＲ事項提示部２２２によりディスプレイ装置１１０に提示された自己ＰＲ事項に対する自己ＰＲの映像データがビデオカメラ１２０又はマイク１２２から入力するのを取得し，自己ＰＲカット映像データを生成する。なお，自己ＰＲカット映像データは，例えば，一つの自己ＰＲ事項に対して自己ＰＲした部分の映像データをいうが，かかる例に限定されない。
【００５１】
自己ＰＲカット映像生成部２２３は，上記自己ＰＲ事項提示部２２２により自己ＰＲ事項が提示されるのと連動して，利用者の自己ＰＲカット映像データの生成を開始する。所定時間（５分間など）経過若しくは利用者から終了の指示が来ると，自己ＰＲ事項に対応する自己ＰＲカット映像データが完成する。
【００５２】
また，自己ＰＲカット映像データは，例えば，一時的にＲＡＭ１０３やストレージ装置１１１等の記録手段にキャッシュされるが，かかる例に限定されない。
【００５３】
自己ＰＲカット映像生成部２２３は，自己ＰＲ提示部２２２が自己ＰＲ事項を提示してから，ビデオカメラ１２０又はマイク１２２から映像データを取得開始する。自己ＰＲ受付部２２１が自己ＰＲの終了を受付けると，自己ＰＲカット映像生成部２２３は，映像データの取得を終了し，その開始から終了までを一区切りとした自己ＰＲカット映像データを生成する。つまり，自己ＰＲカット映像生成部２２３は，ビデオカメラ１２０又はマイク１２２からの映像データを基にして自己ＰＲカット映像データを記録（作成）する機能を具備する。
【００５４】
また，自己ＰＲカット映像生成部２２３は，上記自己ＰＲカット映像確認受付部２２５が利用者から自己ＰＲカット映像の確認を受付けると，その確認要求された自己ＰＲカット映像データを再生する再生機能も具備している。
【００５５】
自己ＰＲカット映像確認受付部２２５は，上記自己ＰＲカット映像生成部２２３により作成された自己ＰＲカット映像データについて，例えば，各自己ＰＲカット映像ごとに，利用者（自己ＰＲ希望者など）からの確認の要望を受付ける。なお，かかる例に限定されず，例えば，全ての自己ＰＲカット映像が生成された後に，自己ＰＲカット映像確認受付部２２５が利用者から各自己ＰＲカット映像の確認を受付けても良い。
【００５６】
自己ＰＲ加工部２２７は，例えば，自己ＰＲ受付部２２１により受付けられた全ての自己ＰＲ項目に対する自己ＰＲ（自己ＰＲカット映像）を順に並べて一つにまとめ，自己ＰＲカット映像データを相互に対応付けて（又は，ひも付けて）一つの自己ＰＲ映像データに加工する。したがって，自己ＰＲ映像データには，１又は２以上の自己ＰＲカット映像データが含まれて，それらの自己ＰＲカット映像データはお互いが対応付けられている。なお，かかる例に限定されず，例えば，自己ＰＲ加工部２２７は，ひも付けて一つにまとめずに，自己ＰＲカット映像を順番に並べるだけの場合などでも実施可能である。
【００５７】
また，自己ＰＲ加工部２２７は，自己ＰＲ映像確認受付部２２９が利用者から自己ＰＲ映像の確認を受付けると，その確認要求された自己ＰＲ映像データをディスプレイ装置１１０，スピーカ１０９上に出力する再生機能も具備している。
【００５８】
次に，自己ＰＲ映像確認受付部２２９は，上記自己ＰＲ加工部２２７により作成された自己ＰＲ映像データについて，利用者からの確認の要望を受付ける。受付けた利用者からの確認要求信号は自己ＰＲ加工部２２７に送信される。
【００５９】
さらに，自己ＰＲ加工部２２７は，利用者から自己ＰＲ映像について了解が得られると，その自己ＰＲ映像データを格納部２３１に伝送し，格納部２３１により，当該自己ＰＲ映像データは，利用者の属性情報とひも付けられストレージ装置１１１の自己ＰＲ映像ＤＢ２５３に格納される。なお，属性情報も属性情報ＤＢ２５０に格納部２３１により格納される。
【００６０】
添削受付部２３３は，利用者が自己ＰＲした自己ＰＲ映像について添削する添削者から添削を要望する旨の受付をする。また，添削受付部２３３は，添削者から自己ＰＲ映像に対するコメント等を入力部１０８を介して受け付ける。なお，本実施の形態にかかる自己ＰＲシステム１００では，例えば，自己ＰＲ受付部２２１により自己ＰＲを受付ける表示画面とは異なる画面で添削要求を受付けるが，かかる例に限定されない。
【００６１】
添削用映像処理部２３５は，取得部２３７により自己ＰＲ映像ＤＢ２５３から読み出された自己ＰＲ映像データを再生するとともに，添削者から入力部１０８を介して入力された自己ＰＲ映像に対するコメント等を自己ＰＲ映像データにひも付く属性情報に記述するよう格納部２３１に命令する。
【００６２】
以上，映像処理装置１０の各構成要素について説明した。上記データ通信部２２０，自己ＰＲ受付部２２１，自己ＰＲ事項提示部２２２，自己ＰＲカット映像生成部２２３，自己ＰＲカット映像確認受付部２２５，自己ＰＲ加工部２２７，格納部２３１，添削受付部２３３，添削用映像処理部２３５，または取得部２３７のうち少なくとも１つは，例えば，上記各機能を有するハードウェアとして構成されてもよいし，或いは，上記各機能をコンピュータに実現させるプログラムを映像処理装置１０にインストールすることによって構成されてもよい。
【００６３】
（データベースについて）
次に，図４を参照しながら，本実施の形態にかかる自己ＰＲシステム１００に用いられるデータベースについて説明する。なお，図４は，本実施の形態にかかる自己ＰＲシステムに用いられるデータベースの概略の一例を示す説明図である。
【００６４】
図４に示すように，属性情報データベース（属性情報ＤＢ）２５０には，利用者が登録時に利用者の属性情報として属性情報レコードが複数格納される。属性情報レコードには，例えば，利用者の登録時に付される識別情報となる整理番号と，年齢と，職業分類１と，職業分類２と，希望年収と，運転免許と，転勤可否と，静止画ファイル名と，映像ファイル名と，添削要否とから構成されているが，かかる例に限定されない。なお，上記静止画ファイル名と，映像ファイル名とが自己ＰＲ映像データベースとひも付くキーとなる。映像ファイル名は複数のキー，または，先頭の映像ファイル名がキーとなる場合があるが，かかる例に限定されない。
【００６５】
自己ＰＲ映像データベース（自己ＰＲ映像ＤＢ）２５３には，例えば，自己ＰＲ映像データ（１），自己ＰＲ映像データ（２），自己ＰＲ映像データ（３），自己ＰＲ映像データ（４），自己ＰＲ映像データ（５），静止画像データ等と複数のファイルが利用者ごとに格納されているが，かかる例に限定されず，１つの自己ＰＲ映像データが格納される場合でも良い。
【００６６】
上記説明の取得部２３７は，上記属性情報ＤＢ２５０の静止画ファイル名と映像ファイル名とをキーとして該当する自己ＰＲ映像ＤＢ２５３の自己ＰＲ映像データ又は静止画データを検索する。
【００６７】
（自己ＰＲ方法について）
次に，図５等に基づいて，以上のような自己ＰＲシステム１００を利用した自己ＰＲ方法の一連の処理について説明する。図５は，本実施形態にかかる自己ＰＲ方法において表示画面に表示される画面の遷移の概略を示す画面遷移図である。
【００６８】
本実施の形態にかかる自己ＰＲシステム１００では，図５に示すような画面遷移が行われるとともに，それに応じて，利用者が自己ＰＲを行っていく。例えば，最初にメニュー画面がディスプレイ装置１１０に表示され，次に，自己ＰＲ練習開始の画面が表示されるような具合である。以下に，図５に示す各表示画面について説明をしながら，自己ＰＲ方法について説明する。
【００６９】
図６には，自己ＰＲシステム１００におけるメニュー画面が図示されている。図６は，本実施の形態にかかる自己ＰＲシステムのメニュー画面の概略を示す説明図である。図６に示すように，自己ＰＲを練習するためのボタンと，添削確認するためのボタンとが表示されている。かかるボタンを利用者はタッチパネルの要領でタッチする。なお，自己ＰＲを練習するに限定されず，本番の自己ＰＲをする場合でも実施可能である。
【００７０】
例えば，上記自己ＰＲを練習するボタンをタッチすると，自己ＰＲの練習機能を開始し，また表示画面の四隅を順にタッチすると，添削者が添削するための画面（添削受付画面）に切り替わるが，かかる例に限定されない。
【００７１】
図７には，自己ＰＲシステム１００における自己ＰＲ練習開始画面が図示されている。図７は，本実施の形態にかかる自己ＰＲシステムの自己ＰＲ練習開始画面の概略を示す説明図である。図７に示すように，自己ＰＲ受付部２２１は，自己ＰＲ項目（又は，質問事項）であるメッセージ表示欄と，ビデオカメラ１２０からの画像領域と，スタートボタン等のボタン群とをディスプレイ装置１１０の画面上に表示する。
【００７２】
上記スタートボタンがタッチされると一連の自己ＰＲ方法の処理が開始する。なお，自己ＰＲは対話形式で進められる。また，自己ＰＲ事項（又は，質問事項）は，表示画面及び／又はスピーカ１０９から出力される。
【００７３】
また，図７に示す保存映像確認ボタンがタッチされると，利用者は，会員番号と誕生年月日等を入力することで，既に保存された自己ＰＲ映像データが再生され，利用者は自己ＰＲ映像と，添削されていた場合にはコメント等を確認することができる。
【００７４】
図８には，自己ＰＲシステム１００における第１の自己ＰＲ項目の自己ＰＲ練習「氏名」画面が図示されている。図８は，本実施の形態にかかる自己ＰＲシステムの自己ＰＲ練習「氏名」画面の概略を示す説明図である。図８に示すように，自己ＰＲ事項提示部２２２は，自己ＰＲ項目（又は，質問事項）のうち「お名前／年齢をお話ください」の項目がアクティブ表示であるメッセージ表示欄と，画像領域と，やり直しボタンや次の項目へボタン等のボタン群とをディスプレイ装置１１０の画面上に表示する。
【００７５】
自己ＰＲ事項提示部２２２は，自己ＰＲ練習「氏名」画面を表示するのと連動して，自己ＰＲ事項提示部２２２は，自己ＰＲカット映像生成部２２３に自己ＰＲカット映像の作成開始を指示する。
【００７６】
各自己ＰＲ事項（又は，質問事項）毎に自己ＰＲするために与えられた制限時間が過ぎると，自己ＰＲ提示部２２２は，自動的に自己ＰＲカット映像生成部２２３に自己ＰＲカット映像の作成を終了するように指示する。
【００７７】
なお，スピーカ１０９を介して出力される自己ＰＲ事項（又は，質問事項）のナレーションは，例えば，自己ＰＲ事項提示部２２２が自己ＰＲ練習「氏名」画面等の画面が表示され，ナレーションが終了したと同時に自己ＰＲカット映像生成部２２３に自己ＰＲカット映像の作成を指示するため，自己ＰＲカット映像データには含まれていないが，かかる例に限定されず，例えば，自己ＰＲ事項等のナレーションも一緒に自己ＰＲカット映像データに含まれる場合でも実施可能である。
【００７８】
また，例えば，上記画像領域をタッチすると，自己ＰＲカット映像確認受付部２２５により受付けられ，自己ＰＲ事項に対する自己ＰＲカット映像を表示し確認することができる。やり直しボタンは，再度自己ＰＲカット映像の撮り直しを行うためのボタンである。
【００７９】
図９には，自己ＰＲシステム１００における第２の自己ＰＲ項目の自己ＰＲ練習「希望職種」画面が図示されている。図９は，本実施の形態にかかる自己ＰＲシステムの自己ＰＲ練習「希望職種」画面の概略を示す説明図である。図９に示すように，自己ＰＲ事項提示部２２２は，自己ＰＲ項目（又は，質問事項）のうち「希望職種をお話ください」の項目がアクティブ表示であるメッセージ表示欄と，画像領域と，やり直しボタンや次の項目へボタン等のボタン群とをディスプレイ装置１１０の画面上に表示する。
【００８０】
自己ＰＲ事項提示部２２２は，自己ＰＲ練習「希望職種」画面を表示すると，その画面表示に連動して，自動的に自己ＰＲ事項提示部２２２は，自己ＰＲカット映像生成部２２３に自己ＰＲカット映像の作成開始を指示する。
【００８１】
自己ＰＲ事項（希望職種）に対する自己ＰＲするために与えられた制限時間が過ぎると，自己ＰＲ事項提示部２２２は，自動的に自己ＰＲカット映像生成部２２３に自己ＰＲカット映像の作成を終了するように指示する。
【００８２】
また，上記説明したように，例えば，上記画像領域をタッチすると，自己ＰＲカット映像確認受付部２２５により受付けられ，自己ＰＲ事項に対する自己ＰＲカット映像を表示し確認することができる。やり直しボタンは，再度自己ＰＲカット映像の撮り直しを行うためのボタンである。
【００８３】
図１０には，自己ＰＲシステム１００における第３の自己ＰＲ項目の自己ＰＲ練習「免許資格」画面が図示されている。図１０は，本実施の形態にかかる自己ＰＲシステムの自己ＰＲ練習「免許資格」画面の概略を示す説明図である。図１０に示すように，自己ＰＲ事項提示部２２２は，自己ＰＲ項目（又は，質問事項）のうち「取得済みの免許資格をお話ください」の項目がアクティブ表示であるメッセージ表示欄と，画像領域と，やり直しボタンや次の項目へボタン等のボタン群とをディスプレイ装置１１０の画面上に表示する。
【００８４】
自己ＰＲ事項提示部２２２は，自己ＰＲ練習「免許資格」画面を表示すると，その画面表示に連動して，自己ＰＲ事項提示部２２２は，自動的に自己ＰＲカット映像生成部２２３に自己ＰＲカット映像の作成開始を指示する。
【００８５】
自己ＰＲ事項（免許資格）に対する自己ＰＲするために与えられた制限時間が過ぎると，自己ＰＲ事項提示部２２２は，自動的に自己ＰＲカット映像生成部２２３に自己ＰＲカット映像の作成を終了するように指示する。
【００８６】
また，上記説明したように，例えば，上記画像領域をタッチすると，自己ＰＲカット映像確認受付部２２５により受付けられ，自己ＰＲ事項に対する自己ＰＲカット映像を表示し確認することができる。やり直しボタンは，再度自己ＰＲカット映像の撮り直しを行うためのボタンである。次の項目へボタンがタッチすると，図１１に示す自己ＰＲ練習「業務経歴」画面に切り替わる。
【００８７】
図１１には，自己ＰＲシステム１００における第４の自己ＰＲ項目の自己ＰＲ練習「業務経歴」画面が図示されている。図１１は，本実施の形態にかかる自己ＰＲシステムの自己ＰＲ練習「業務経歴」画面の概略を示す説明図である。
【００８８】
図１１に示すように，自己ＰＲ事項提示部２２２は，自己ＰＲ項目（又は，質問事項）のうち「業務経歴をお話ください」の項目がアクティブ表示であるメッセージ表示欄と，画像領域と，やり直しボタンや次の項目へボタン等のボタン群とをディスプレイ装置１１０の画面上に表示する。
【００８９】
自己ＰＲ事項提示部２２２は，自己ＰＲ練習「業務経歴」画面を表示すると，それに連動して，利用者からの自己ＰＲの開始を受付けるのとともに，自己ＰＲ事項提示部２２２は，自動的に自己ＰＲカット映像生成部２２３に自己ＰＲカット映像の作成開始を指示する。
【００９０】
自己ＰＲ事項（業務経歴）に対する自己ＰＲするために与えられた制限時間が過ぎると，自己ＰＲ事項提示部２２２は，自動的に自己ＰＲカット映像生成部２２３に自己ＰＲカット映像の作成を終了するように指示する。
【００９１】
また，上記説明したように，上記画像領域をタッチすると，自己ＰＲカット映像確認受付部２２５により受付けられ，自己ＰＲ事項に対する自己ＰＲカット映像を表示し確認することができる。やり直しボタンは，再度自己ＰＲカット映像の撮り直しを行うためのボタンである。次の項目へボタンがタッチすると，図１２に示す自己ＰＲ練習「自己ＰＲ」画面に切り替わる。
【００９２】
図１２には，自己ＰＲシステム１００における第５の自己ＰＲ項目の自己ＰＲ練習「自己ＰＲ」画面が図示されている。図１２は，本実施の形態にかかる自己ＰＲシステムの自己ＰＲ練習「自己ＰＲ」画面の概略を示す説明図である。
【００９３】
図１２に示すように，自己ＰＲ事項提示部２２２は，自己ＰＲ項目のうち「自己ＰＲをお話ください」の項目がアクティブ表示であるメッセージ表示欄と，利用者の自己ＰＲする様子を表示する画像領域（ビデオカメラ１２０からの画像）と，やり直しボタンや次の項目へボタン等のボタン群とをディスプレイ装置１１０の画面上に表示する。
【００９４】
自己ＰＲ事項提示部２２２は，自己ＰＲ練習「自己ＰＲ」画面を表示すると，それに連動して，自己ＰＲ事項提示部２２２は，自動的に自己ＰＲカット映像生成部２２３に自己ＰＲカット映像の作成開始を指示する。
【００９５】
自己ＰＲ事項（自己ＰＲ）に対する自己ＰＲするために与えられた制限時間が過ぎると，自己ＰＲ事項提示部２２２は，自動的に自己ＰＲカット映像生成部２２３に自己ＰＲカット映像の作成を終了するように指示する。なお，制限時間は，例えば，５分間などを例示することができるが，かかる例に限定されない。
【００９６】
また，上記説明したように，上記画像領域をタッチすると，自己ＰＲカット映像確認受付部２２５により受付けられ，自己ＰＲに対する映像（自己ＰＲカット映像）を表示し確認することができる。やり直しボタンは，再度自己ＰＲの撮り直しを行うためのボタンである。
【００９７】
図１３，図１４には，自己ＰＲシステム１００における自己ＰＲ確認画面が図示されている。図１３，図１４は，本実施の形態にかかる自己ＰＲシステムの自己ＰＲ確認画面の概略を示す説明図である。
【００９８】
図１３，図１４に示すように，自己ＰＲ確認画面は，自己ＰＲ加工部２２７により各自己ＰＲ事項（又は，質問事項）に対する自己ＰＲカット映像データから加工された自己ＰＲ映像データの確認を利用者から受付けるための画面である。
【００９９】
自己ＰＲ確認画面には，自己ＰＲ項目の各項目が表示されたメッセージ表示欄と，映像が表示される画像領域（ビデオカメラ１２０からの画像）と，再生ボタン，ストップボタン，添削依頼ボタン，再録画ボタンがディスプレイ装置１１０の画面上に表示される。
【０１００】
自己ＰＲ映像確認受付部２２９は上記画面上の再生ボタンがタッチされるのを受付けると，自己ＰＲ映像データを画像領域とスピーカ１０９に出力するよう自己ＰＲ加工部２２７に指示し，自己ＰＲ加工部２２７は，自己ＰＲ映像データをディスプレイ装置１１０，スピーカ１０９に出力する。
【０１０１】
上記再録画ボタンがタッチされると，全ての自己ＰＲ事項に対する自己ＰＲ映像を撮りなおすことができる。
【０１０２】
上記ストップボタンがタッチされると，自己ＰＲ映像データの再生をストップすることができる。
【０１０３】
上記添削依頼ボタンがタッチされると，後述するが，利用者の属性情報等を入力する登録処理が済むと，格納部２３１により作成した自己ＰＲ映像を自己ＰＲ映像ＤＢ２５３に属性情報と対応付けて（ひも付けて）格納することで，添削者に添削してもらうよう依頼することができる。
【０１０４】
自己ＰＲ映像は，例えば，メッセージ表示欄に表示された各自己ＰＲ事項の順にディスプレイ装置１１０の画面上に表示されるし，自己ＰＲ加工部２２７も上記メッセージ表示欄に表示された順番に自己ＰＲカット映像と順番（自己ＰＲ映像データ（１），（２），…）とを対応付けて，自己ＰＲカット映像を自己ＰＲ映像として並べるが，かかる例に限定されない。
【０１０５】
図１４のように，自己ＰＲ映像が再生されるとメッセージ表示欄にアクティブ表示されている自己ＰＲ映像が再生される。例えば，図１４に示すように，メッセージ表示欄のうちアクティブ表示の「お名前／年齢をお話ください」の自己ＰＲ映像が再生され，それ以降，「取得済みの免許／資格をお話ください」の自己ＰＲ映像等と続く。
【０１０６】
次に，図１５〜図２１を参照しながら，利用者の属性情報等の登録画面について説明する。なお，図１５〜図２１は，本実施の形態にかかる属性情報の登録画面の概略的な構成を示す説明図である。
【０１０７】
まず，図１５には，自己ＰＲシステム１００における登録画面のうち会員番号／生年月日を登録する会員番号／生年月日登録画面が図示されている。図１５に示すように，会員番号／生年月日登録画面は，入力部１０８を介して画面上に表示されたテンキーボタンが表示されている。
【０１０８】
入力部１０８を介して画面上に表示されたテンキーボタンがタッチされると，図１５に示すように，例えば，会員番号“１２３４５６７８”と生年月日“□□月□□日”とを入力することができる。
【０１０９】
図１５に示すように，画面に表示された次へボタンがタッチされることで，入力条件を確定し次の図１６に示す画面に遷移することができる。
【０１１０】
図１６には，例えば，利用者の年齢を登録する年齢登録画面が図示されている。図１６に示すように，年齢をテンキーをタッチすることで入力し，次へボタンをタッチすることで，入力内容を確定することができる。前の登録画面にもどる場合には，利用者は，もどるボタンをタッチする。
【０１１１】
図１７には，例えば，利用者の希望職種（大分類）を登録する希望職種（大分類）登録画面が図示されている。図１７に示すように，利用者が希望する職種に合致する希望職種を画面に表示されたボタンの中から選択し，そのボタンをタッチする。例えば，利用者は，図１７に示すように，管理職を選択し，管理職ボタンをタッチする。
【０１１２】
さらに，図１７に示すように，希望職種（大分類）を選択するためのボタンがタッチされると次に，希望職種（中分類）を選択する希望職種（中分類）登録画面（図示せず）が表示され，図１７に示す希望職種（中分類）から選択しそのボタンをタッチする。
【０１１３】
希望職種が入力されると，次に，図１８に示すように，利用者の希望年収を登録する希望年収登録画面が表示される。図１８に示すように，利用者が希望する年収をテンキーボタンをタッチすることで入力する。
【０１１４】
希望年収が入力されると，次に，図１９に示すように，利用者の運転免許の有無を登録する運転免許有無登録画面が画面上に表示される。図１９に示すように，利用者は，利用者の運転免許の保有状況に合致するボタン（ありボタン，なしボタン，不問ボタンのいずれか）をタッチすることで入力する。
【０１１５】
次に，図２０に示すように，利用者の転勤の可否を登録するための転勤可否登録画面が画面上に表示される。図２０に示すように，利用者は，利用者の転勤の可否について該当するボタン（転勤可能ボタン，転勤不可ボタン，不問ボタンのいずれか）をタッチすることで入力する。
【０１１６】
さらに，図２０に示すように，利用者は，画面に表示された登録ボタンをタッチすることで，図１５〜図１９で入力した一連の入力条件を確定し，入力された内容で属性情報を生成するよう指示することができる。生成された属性情報は格納部２３１に入力され，属性情報ＤＢ２５０に格納される。
【０１１７】
図２０に示す登録ボタンがタッチされると，属性情報が生成され属性情報ＤＢ２５０に格納されるとともに，図２１に示すように，添削依頼完了の画面が表示される。即ち，かかる画面が表示されることで，自己ＰＲ映像を添削者に添削するよう依頼する手続が完了する。
【０１１８】
以上で，本実施の形態にかかる自己ＰＲシステム１００における自己ＰＲ方法の一連の処理が終了する。
【０１１９】
次に，図２２を参照しながら，本実施の形態にかかる自己ＰＲシステム１００における自己ＰＲ添削方法について説明する。なお，図２２は，本実施の形態にかかる自己ＰＲ添削方法の概略を示す説明図である。
【０１２０】
まず，図２２に示すように，添削受付部２３３が自己ＰＲ映像の添削を受付ける添削受付画面を表示することから一連の処理が始まる。
【０１２１】
図２２に示すように，添削受付部２３３がディスプレイ装置１１０の画面上に表示する添削受付画面には，自己ＰＲ映像が表示される画像領域と，もどるボタンと，アドバイス入力ボタンと，スタートボタンと，ストップボタンとが備わっている。
【０１２２】
添削者が添削受付画面に表示されたスタートボタンをタッチすると，添削用映像処理部２３５は取得部２３７から受け取った自己ＰＲ映像データを再生開始する。添削者は，再生された自己ＰＲ映像データを視聴することができる。
【０１２３】
添削者が添削受付画面に表示されたアドバイス入力ボタンをタッチすると，添削者は，入力部１０８を操作し，画像領域の右側に表示された「アドバイス」欄にコメントをテキスト入力することができる。
【０１２４】
上記「アドバイス」欄に入力されたテキストデータは，添削用映像処理部２３５から格納部２３１を介して属性情報ＤＢ２５０の属性情報に記述され，記憶される。
【０１２５】
利用者は，自己ＰＲ映像をディスプレイ装置１１０の画面上に再生し確認する際に，添削者が「アドバイス」欄にコメントした事項などを参照することで，自己ＰＲ映像のアドバイスを受けることができる。
【０１２６】
以上で，本実施の形態にかかる自己ＰＲシステム１００の自己ＰＲ方法及び自己ＰＲ添削方法の一連の処理の説明を終了する。かかる自己ＰＲシステム１００により，以下に示すような優れた効果が存在する。
（１）利用者が上記自己ＰＲシステム１００を利用すれば，利用者一人で自己ＰＲの練習又は本番を行うことができる。
（２）利用者自身の自己ＰＲ映像を自分で客観的に観察し，自己ＰＲ等に関する自分の長所又は短所などを評価することができ，自己ＰＲの改善点等を確認することができる。
（３）利用者が自己ＰＲ事項を提示する質問者と自己ＰＲする回答者の２者を演じなくとも，自己ＰＲシステム１００側で自動的に自己ＰＲ事項を提示することができるため，利用者は自己ＰＲに専念することができ，自己ＰＲシステム１００は実際の面接時の臨場感を演出することができる。
（４）企業の採用者が自己ＰＲシステム１００を使用し，利用者の自己ＰＲ映像を閲覧することで，採用者はその閲覧を一次面接の代わりとすることができる。
（５）自己ＰＲシステム１００で撮影した自己ＰＲ映像データをＤＶＤなどのリムーバブル記録媒体４０に記録すれば，そのリムーバブル記録媒体４０を一次面接の代わりとして企業に提出することができる。
【０１２７】
なお，上述した一連の処理は，専用のハードウェアにより行うこともできるし，ソフトウェアにより行うこともできる。一連の処理をソフトウェアによって行う場合には，そのソフトウェアを構成するプログラムが，汎用のコンピュータやマイクロコンピュータ等の情報処理装置にインストールされ，上記情報処理装置を映像処理装置１０として機能させる。
【０１２８】
プログラムは，コンピュータに内蔵されている記録媒体としてのハードディスクドライブ（ＨＤＤ）やＲＯＭ等に予め記録しておくことができる。
【０１２９】
あるいはまた，プログラムは，ハードディスクドライブに限らず，フレキシブルディスク，ＣＤ−ＲＯＭ（Ｃｏｍｐａｃｔ  Ｄｉｓｃ  Ｒｅａｄ  Ｏｎｌｙ  Ｍｅｍｏｒｙ），ＭＯ（Ｍａｇｎｅｔｏ  Ｏｐｔｉｃａｌ）ディスク，ＤＶＤ（Ｄｉｇｉｔａｌ  Ｖｅｒｓａｔｉｌｅ  Ｄｉｓｃ），磁気ディスク，半導体メモリなどのリムーバブル記録媒体に，一時的あるいは永続的に格納（記録）しておくことができる。このようなリムーバブル記録媒体は，いわゆるパッケージソフトウエアとして提供することができる。
【０１３０】
なお，プログラムは，上述したようなリムーバブル記録媒体からコンピュータにインストールする他，ダウンロードサイトから，ディジタル衛星放送用の人工衛星を介して，コンピュータに無線で転送したり，ＬＡＮ（Ｌｏｃａｌ  Ａｒｅａ  Ｎｅｔｗｏｒｋ），インターネットといったネットワークを介して，コンピュータに有線で転送し，コンピュータでは，そのようにして転送されてくるプログラムを受信し，内蔵するハードディスクドライブにインストールすることができる。
【０１３１】
ここで，本明細書において，コンピュータに各種の処理を行わせるためのプログラムを記述する処理ステップは，必ずしもフローチャートとして記載された順序に沿って時系列に処理する必要はなく，並列的あるいは個別に実行される処理（例えば，並列処理あるいはオブジェクトによる処理）も含むものである。
【０１３２】
また，プログラムは，１のコンピュータにより処理されるものであっても良いし，複数のコンピュータによって分散処理されるものであっても良い。
【０１３３】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【０１３４】
上記実施形態においては，自己ＰＲ添削方法では添削者が自己ＰＲ映像を添削する場合を例にあげて説明したが，本発明はかかる例に限定されない。例えば，映像処理装置１０に備わる添削用映像処理部２３５が自己ＰＲ映像を自動的に添削する場合等でもよい。例えば，添削用映像処理部２３５は，自己ＰＲ映像データの再生により話者が発する声のトーンの高低／大小や，声のテンポ，声の調子などを解析し，「アドバイス」欄に定型のメッセージ“声が小さすぎます”等を表示する場合を例示することができる。
【０１３５】
また上記実施形態においては，自己ＰＲを練習する場合を例に挙げて説明したが，かかる例に限定されず，例えば，自己ＰＲの本番をする等の場合でも実施可能である。
【０１３６】
上記実施形態においては，映像処理装置１０に備わる各部は１又は２以上のモジュールまたはコンポーネントからなる場合を例にあげて説明したが，本発明はかかる例に限定されない。例えば，上記各部は，１又は２以上の回路素子のハードウェアから構成される場合であってもよい。
【０１３７】
また，上記実施形態においては，映像処理装置１０に備わる自己ＰＲ受付部２２１と，自己ＰＲカット映像確認受付部２２５と，自己ＰＲ映像確認受付部２２９と，添削受付部２３３とは，別体である場合を例に挙げて説明したが，本発明はかかる例に限定されない。例えば，上記自己ＰＲ受付部２２１と，自己ＰＲカット映像確認受付部２２５と，自己ＰＲ映像確認受付部２２９と，添削受付部２３３とが受付部として一体的に構成されて映像処理装置１０に受付部が備わる場合でもよい。
【産業上の利用可能性】
【０１３８】
本発明は，利用者個人で自己ＰＲ練習又は自己ＰＲすることが可能な自己ＰＲシステムに適用可能である。
【図面の簡単な説明】
【０１３９】
【図１】本実施の形態にかかる自己ＰＲシステムの全体構成を概略的に示すブロック図である。
【図２】本実施形態にかかる映像処理装置のハードウェア構成の例を概略的に示すブロック図である。
【図３】本実施形態にかかる映像処理装置の機能を概略的に示すブロック図である。
【図４】本実施の形態にかかる自己ＰＲシステムに用いられるデータベースの概略の一例を示す説明図である。
【図５】本実施形態にかかる自己ＰＲ方法において表示画面に表示される画面の遷移の概略を示す画面遷移図である。
【図６】本実施の形態にかかる自己ＰＲシステムのメニュー画面の概略を示す説明図である。
【図７】本実施の形態にかかる自己ＰＲシステムの自己ＰＲ練習開始画面の概略を示す説明図である。
【図８】本実施の形態にかかる自己ＰＲシステムの自己ＰＲ練習「氏名」画面の概略を示す説明図である。
【図９】本実施の形態にかかる自己ＰＲシステムの自己ＰＲ練習「希望職種」画面の概略を示す説明図である。
【図１０】本実施の形態にかかる自己ＰＲシステムの自己ＰＲ練習「免許資格」画面の概略を示す説明図である。
【図１１】本実施の形態にかかる自己ＰＲシステムの自己ＰＲ練習「業務経歴」画面の概略を示す説明図である。
【図１２】本実施の形態にかかる自己ＰＲシステムの自己ＰＲ練習「自己ＰＲ」画面の概略を示す説明図である。
【図１３】本実施の形態にかかる自己ＰＲシステムの自己ＰＲ確認画面の概略を示す説明図である。
【図１４】本実施の形態にかかる自己ＰＲシステムの自己ＰＲ確認画面の概略を示す説明図である。
【図１５】本実施の形態にかかる属性情報の登録画面の概略的な構成を示す説明図である。
【図１６】本実施の形態にかかる属性情報の登録画面の概略的な構成を示す説明図である。
【図１７】本実施の形態にかかる属性情報の登録画面の概略的な構成を示す説明図である。
【図１８】本実施の形態にかかる属性情報の登録画面の概略的な構成を示す説明図である。
【図１９】本実施の形態にかかる属性情報の登録画面の概略的な構成を示す説明図である。
【図２０】本実施の形態にかかる属性情報の登録画面の概略的な構成を示す説明図である。
【図２１】本実施の形態にかかる属性情報の登録画面の概略的な構成を示す説明図である。
【図２２】本実施の形態にかかる自己ＰＲ添削方法における添削受付画面の概略を示す説明図である。
【符号の説明】
【０１４０】
１０        映像処理装置
１００      自己ＰＲシステム
１０９      スピーカ
１１０      ディスプレイ装置
１２０      ビデオカメラ
１２１      マイク
２２１      自己ＰＲ受付部
２２３      自己ＰＲカット映像生成部
２２５      自己ＰＲカット映像確認受付部
２２７      自己ＰＲ加工部
２２９      自己ＰＲ映像確認受付部
２３１      格納部
２３３      添削受付部
２３５      添削用映像処理部
２３７      取得部
２５０      属性情報データベース
２５３      自己ＰＲ映像データベース
【図１】
2007086877.tif 000003
【図２】
2007086877.tif 000004
【図３】
2007086877.tif 000005
【図４】
2007086877.tif 000006
【図５】
2007086877.tif 000007
【図６】
2007086877.tif 000008
【図７】
2007086877.tif 000009
【図８】
2007086877.tif 000010
【図９】
2007086877.tif 000011
【図１０】
2007086877.tif 000012
【図１１】
2007086877.tif 000013
【図１２】
2007086877.tif 000014
【図１３】
2007086877.tif 000015
【図１４】
2007086877.tif 000016
【図１５】
2007086877.tif 000017
【図１６】
2007086877.tif 000018
【図１７】
2007086877.tif 000019
【図１８】
2007086877.tif 000020
【図１９】
2007086877.tif 000021
【図２０】
2007086877.tif 000022
【図２１】
2007086877.tif 000023
【図２２】
2007086877.tif 000024